(57)【要約】【課題】水草の刈り取りと刈り取った水草の輸送を一つの装置で行う。【解決手段】水草を輸送するポンプ部１０の主軸１２を、前記主軸１２外周に取り付けた羽根車１５を収容するケーシング１６の吸込口１８から突出するように延長し、その主軸１２の下端部に主軸延長部２０を主軸１２と同軸状態に固定する。主軸延長部２０は、軸方向の２箇所にそれぞれ複数の水草カッタ２４、２５を放射状に固定したものである。ポンプ部１０の主軸１２を回転させると、水草カッタ２４、２５が回転して水草を刈り取るとともに羽根車１５が回転して吸引力が発生する。その吸引力により刈り取った水草を水とともにポンプ部１０で直接吸い込むので、水草の刈り取りと刈り取った水草の輸送を一つの装置で行うことができる。【選択図】図２
2008178335.tif 000002
【特許請求の範囲】
【請求項１】
水草を輸送するポンプ部の主軸を、前記主軸外周に取り付けた羽根車を収容するケーシングの吸込口から突出するように延長し、前記主軸の延長部に水草カッタを固定した水草回収装置。
【請求項２】
上記水草カッタを上記主軸から放射状に複数設けた請求項１に記載の水草回収装置。
【請求項３】
上記水草カッタを上記主軸の軸方向の複数箇所に設けた請求項１または２に記載の水草回収装置。
【発明の詳細な説明】
【技術分野】
【０００１】
この発明は、河川、湖沼などに生える水草を刈り取り、刈り取った水草を輸送する水草回収装置に関する。
【背景技術】
【０００２】
従来から、河川、湖沼などに生える水草の刈り取りおよび回収は、人力または水草カッタを備えた水草刈り取り機を設けた専用船により行われている。この専用船は、水草刈り取り機に接続された輸送ホースに遠心ポンプが接続されたものであり、水草刈り取り機を河川等に沈めてその水草カッタで水草を刈り取り、遠心ポンプの吸引力で刈り取った水草を輸送ホース内に引き込んで船上に回収し、岸壁まで輸送していた。
【０００３】
しかし、人力により刈り取りを行う場合、長い時間と多大な労力が必要となる。また、上記専用船により刈り取りを行う場合、船上に積んだ刈り取った水草をクレーンや油圧ショベルなどの重機で陸揚げしなければならず、さらに、専用船による水草の輸送は、その積載量が限られる上に移動速度が遅いので輸送時間が長くなっていた。
【０００４】
これらの問題を解決するために、油圧ショベルのショベルに代えて水草カッタを有する水草刈り取り機を取り付け、この水草刈り取り機に設けた水草吸込み口に接続した輸送ホースを、トラックに積んだ遠心ポンプに空気遠心分離機を介して連結した水草回収装置が知られている（特許文献１参照）。
【特許文献１】特開２００６−３１１８０６号公報（図１）
【０００５】
この水草回収装置を用いた水草の刈り取りおよび輸送は、河岸に移動した油圧ショベルのアームを下げて水草刈り取り機を河川に投入し、水草カッタを駆動させて水草を刈り取りながら遠心ポンプの吸引力で刈り取った水草を輸送ホース内に引き込む。刈り取った水草を空気遠心分離機によって輸送空気から分離し、分離した水草を河岸に駐車したトラックに回収して、そのトラックで輸送することにより行われる。
【発明の開示】
【発明が解決しようとする課題】
【０００６】
しかし、特許文献１に記載の水草回収装置は、水草を刈り取る水草刈り取り機と、刈り取った水草を目的場所に輸送する遠心ポンプとが別体であるため、それぞれの装置の移動や設置に時間と手間がかかっていた。
【０００７】
また、水草刈り取り機を取り付けた油圧ショベルのアームは、上下方向の駆動範囲が限られているため、河川などの水面付近の水草（浮き草）や、比較的水深の浅い場所に生える水草しか刈り取り、回収ができず、水深の深い場所の水草の刈り取り、回収は難しいものであった。
【０００８】
そこで、この発明は、水草の刈り取りと刈り取った水草の輸送を一つの装置で行うことを課題とする。
【課題を解決するための手段】
【０００９】
上記の課題を解決するために、この発明は、水草を輸送するポンプ部の主軸を、前記主軸外周に取り付けた羽根車を収容するケーシングの吸込口から突出するように延長し、前記主軸の延長部に水草カッタを固定する構成を採用したのである。
【００１０】
この構成により、ポンプ部の主軸を回転させると、水草カッタが回転して水草を刈り取るとともに、羽根車が回転して吸引力が発生する。その吸引力により刈り取った水草を水とともにポンプ部で直接吸い込むことができるので、水草の刈り取りとその刈り取った水草の輸送を一つの装置で行うことができる。
【００１１】
上記構成において、上記水草カッタを上記主軸から放射状に複数設けたものとすると、主軸の回転に伴いそれぞれの水草カッタで水草を効率良く刈り取ることができる。
【００１２】
また、上記水草カッタを上記主軸の軸方向の複数箇所に設けたものとすると、一の箇所に設けた水草カッタで刈り取った水草を他の箇所に設けた水草カッタによりさらに切断するので、水草をより短く刈り取ることが可能となり、刈り取った水草によるケーシング内の詰まりを抑えることができる。
【発明の効果】
【００１３】
以上のように、この発明は、ポンプ部の主軸を回転させることにより、水草の刈り取りと刈り取った水草の輸送とを同時に行うことができるため、水草の刈り取りと輸送とが一つの装置で可能となり、水草回収装置の移動、設置が容易になり、作業性が向上する。
【発明を実施するための最良の形態】
【００１４】
この発明の実施形態を図１から図３に示す。この実施形態の水草回収装置は、図１、図２に示すように、縦方向の主軸１２が回転可能に支持されたポンプ部１０と、そのポンプ部１０の下方に連結した主軸延長部２０とから構成される。
【００１５】
上記ポンプ部１０は、縦方向に配置した主軸１２を回転させるモータ（図示省略）を備えたモータ部１３の下部に、主軸１２を回転可能に支持するメカニカルシール（図示省略）を組込んだメカニカルシール部１４を介して、前記主軸１２に固定した羽根車１５を収容したケーシング１６を連結したものである。
【００１６】
上記モータ部１３の上部にはアイボルト１９が複数固定され、この水草回収装置を吊り上げて移動させることができる。モータの主軸１２は、メカニカルシール部１４のメカニカルシールにより縦方向に回転自在に支持されるとともに液密に軸封されており、その下部に羽根車１５が固定されている。
【００１７】
この羽根車１５を収容するケーシング１６は、図２に示すように、周壁が断面半円弧状となる円筒状に形成され、その周壁の接線方向外向きに吐出口１７が、底部には円形に開口した吸込口１８がそれぞれ設けられる。吐出口１７には屈曲した輸送管２９が連結され、この輸送管２９に連結した輸送ホース（図示省略）へ刈り取った水草を水とともに送り出す。
【００１８】
上記ケーシング１６の吸込口１８から突き出して下方に延びる主軸１２の下端部に、上記主軸延長部２０が締結具２１を介して主軸１２の軸線と同軸状態に固定される。
【００１９】
この主軸延長部２０は、図３に示すように、上端部にナット２３が固定された円筒体２２と、そのナット２３および円筒体２２の下端部の周縁部から放射状に取り付けられた複数の板状の上部水草カッタ２４および下部水草カッタ２５とを有する（図３（ｂ）参照）。この円筒体２２の筒軸が主軸１２の軸線上に位置するように、円筒体２２のナット２３が上記締結具２１により固定される（図２参照）。
【００２０】
この円筒体２２の上端部に固定したナット２３には３枚の上部水草カッタ２４が等角度で配置され（図３（ａ）参照）、また、円筒体２２の下端部には４枚の下部水草カッタ２５が等角度で配置されている（図３（ｃ）参照）。円筒体２２の上下部の各水草カッタ２４、２５は、一方の側縁の全長に渡って切り刃２４ａ、２５ａを備えている。これにより、主軸１２を回転させることにより、円筒体２２が回転してその切り刃２４ａ、２５ａで水草を刈り取ることができる。
【００２１】
このように、円筒体２２の上下部の水草カッタ２４、２５は、それぞれ複数枚設けられているので、主軸１２の回転に伴い水草カッタ２４、２５のそれぞれで水草を効率良く刈り取ることができる。
【００２２】
また、円筒体２２（主軸延長部２０）の軸方向の２箇所に水草カッタが設けられているため、各下部水草カッタ２５で刈り取った水草が、ポンプ部１０により吸い込まれる水とともに各上部水草カッタ２４でさらに切断されるので、水草をより短く刈り取ることが可能となり、刈り取った水草によるケーシング１６内の詰まりを抑えることができる。
【００２３】
また、各下部水草カッタ２５は、各上部水草カッタ２４よりも長く形成されており、より広範囲の水草を刈り取ることができ、この上下部の水草カッタ２４、２５の間には、図３（ａ）に示す円筒状のガイド部２６が円筒体２２の外側に同軸状態に固定されている。このガイド部２６は、刈り取った水草を水とともにその内部に引き込み、各上部水草カッタ２４によりさらに切断されるように水草を案内する。
【００２４】
上記主軸延長部２０には、図２に示すように、これを覆うように上下カッタカバー２７、２８が設けられ、この上カッタカバー２７は、上記ケーシング１６の下端部と接続しその吸込口１８よりも大径の円筒体と、この円筒体の下端部に接続し下方に向かって外向きに広がる断面角型の筒体とを組み合わせたものである。
【００２５】
この上カッタカバー２７の筒体の下端部に、下カッタカバー２８が接続される。この下カッタカバー２８は下方に向かって外向きに広がる断面角型の筒体に形成され、上カッタカバー２７と下カッタカバー２８とが筒状に一体となっている。この上下カッタカバー２７、２８で河川等の水草の生えた地面（水底）を覆うことで、この上下カッタカバー２７、２８内の水草を効果的に集めて水草カッタ２４、２５で刈り取ることができる。
【００２６】
このようにして、水草回収装置は構成され、この水草回収装置をウインチに接続したワイヤーロープに固定し、クレーンの先端から吊り下げる。吊り下げた水草回収装置のモータを駆動させて主軸１２を回転させると、羽根車１５の回転による吸引力が発生するとともに、主軸延長部２０の上下部の各水草カッタ２４、２５が主軸１２とともに回転した状態となる。
【００２７】
この状態で、水草回収装置を水草の生えている河川等の水面に降ろすと、カッタカバー２７、２８内の水草を上下部の水草カッタ２４、２５が刈り取り、ポンプ部１０の羽根車１５の回転による吸引力で刈り取られた水草が水とともにケーシング１６の吸込口１８から吸い込まれる。このとき、ウインチでワイヤーロープを巻き取ったり、延ばしたりと、そのワイヤーロープの長さを調節することにより、水草回収装置の上下位置を変えることができるので、河川等の水面付近から水深の深い場所に生える水草を刈り取ることができる。
【００２８】
ケーシング１６の吸込口１８から吸い込まれた水草は水とともに吐出口１７から吐き出され、上記輸送管２９を介して目的地まで延びる輸送ホース（図示省略）により目的地へ輸送される。
【００２９】
このように、この発明の水草回収装置は、ポンプ部１０の主軸１２の下端部に主軸延長部２０を固定したものであるので、水草の刈り取りと輸送を一つの装置で行うことができ、この水草回収装置の移動、設置が容易となる。このため、従来の水草回収装置のように、刈り取り機とポンプとをそれぞれ移動、設置する必要がなくなり作業性が向上する。また、この水草回収装置は、水草カッタ２４、２５により刈り取った水草を水とともに直接ポンプ部１０の吸込口１８から吸い込み、輸送ホースにより目的地まで輸送することができる。
【図面の簡単な説明】
【００３０】
【図１】（ａ）この発明に係る水草回収装置の実施形態の外観正面図
【図２】同上のカッタ部を示す一部拡大断面図
【図３】（ａ）同上の主軸延長部の上面図、（ｂ）同上の主軸延長部の正面図、（ｃ）同上の主軸延長部の下面図
【符号の説明】
【００３１】
１０  ポンプ部
１２  主軸
１３  モータ部
１４  メカニカルシール部
１５  羽根車
１６  ケーシング
１７  吐出口
１８  吸込口
１９  アイボルト
２０  主軸延長部
２１  締結具
２２  円筒体
２３  ナット
２４  上部水草カッタ
２４ａ  切り刃
２５  下部水草カッタ
２５ａ  切り刃
２６  ガイド部
２７  上カッタカバー
２８  下カッタカバー
２９  輸送管
【図１】
2008178335.tif 000003
【図２】
2008178335.tif 000004
【図３】
2008178335.tif 000005